(57)【要約】【課題】本発明の解決しようとする課題は、ヤニや焦げ目が付着しても簡単に洗浄することができ、常に清潔な状態で使用することができる蚊取線香容器を提案するものである。【解決手段】１巻の蚊取線香を燻焼させるための容器であって、合成樹脂製の基体と、該基体の周壁に嵌合するステンレス鋼板製の本体と、該本体の周壁に嵌合する難燃性合成樹脂製の蓋体とからなり、前記本体は、前記基体の底面より空間を隔てて設置された本体底面を有し、該本体底面には、蚊取線香を保持するための複数の支持突起が設けられていることを特徴とする蚊取線香容器である。【選択図】図１
2014093959.tif 000002
【特許請求の範囲】
【請求項１】
１巻の蚊取線香を燻焼させるための容器であって、合成樹脂製の基体と、該基体の周壁に嵌合するステンレス鋼板製の本体と、該本体の周壁に嵌合する難燃性合成樹脂製の蓋体とからなり、前記本体は、前記基体の底面より空間を隔てて設置された本体底面を有し、該本体底面には、蚊取線香を保持するための複数の支持突起が設けられていることを特徴とする蚊取線香容器。
【請求項２】
前記本体底面の中央部に、蚊取線香の中心部を保持するための中心保持具が設置されていることを特徴とする請求項１に記載の蚊取線香容器。
【発明の詳細な説明】
【技術分野】
【０００１】
本発明は、渦巻き状の蚊取線香を１巻収納して、燻焼、発煙させるための蚊取線香容器に関する。
【背景技術】
【０００２】
従来、蚊取線香を燻焼させるための容器としては、金属缶製の容器本体に、グラスウール等の断熱材を敷き、この上に、蚊取線香を直接載置して燻焼させる形式のものが広く用いられている。（特許文献１）
グラスウール等の断熱材は、成形するために少量の可燃性のバインダーを用いるため、このバインダーが燃焼することにより焦げが生じ、１回でも使用すると線香の跡が残って、見映えが悪くなるという問題があった。
【０００３】
また、携帯用としても使用することができるように、蚊取線香を不燃性の網で挟んで保持する形式の容器も提案されている。（特許文献２）
【０００４】
またさらに、断熱材と網を併用する提案もなされている。（特許文献３）
【先行技術文献】
【特許文献】
【０００５】
【特許文献１】実開昭５５−７５２８１号公報
【特許文献２】実開昭６２−１１９７７８号公報
【特許文献３】特開２００３−２３５４２８号公報
【発明の概要】
【発明が解決しようとする課題】
【０００６】
従来の断熱材や網を用いた容器は、使用に伴って、煙による汚れ、ヤニ、焦げ目などが付着しても、洗浄することができないか、あるいは洗浄しても汚れが完全には取れないため、外観上必ずしも満足できるものとは言えなかった。
【０００７】
本発明の解決しようとする課題は、ヤニや焦げ目が付着しても簡単に洗浄することができ、常に清潔な状態で使用することができる蚊取線香容器を提案するものである。
【課題を解決するための手段】
【０００８】
上記の課題を解決するための手段として、請求項１に記載の発明は、１巻の蚊取線香を燻焼させるための容器であって、合成樹脂製の基体と、該基体の周壁に嵌合するステンレス鋼板製の本体と、該本体の周壁に嵌合する難燃性合成樹脂製の蓋体とからなり、前記本体は、前記基体の底面より空間を隔てて設置された本体底面を有し、該本体底面には、蚊取線香を保持するための複数の支持突起が設けられていることを特徴とする蚊取線香容器である。
【０００９】
本発明に係る蚊取線香容器は、最も汚れやすい部分である本体をステンレス鋼板製として、グラスウール等の洗浄できない材質を用いていないため、洗浄して常に清潔な状態を保つことができる。
【００１０】
また、本体以外の部分も合成樹脂製であるため、いずれも水で洗浄することが可能であり、それによって錆びたりすることもない。
【００１１】
次に、請求項２に記載の発明は、前記本体底面の中央部に、蚊取線香の中心部を保持するための中心保持具が設置されていることを特徴とする請求項１に記載の蚊取線香容器である。
【発明の効果】
【００１２】
本発明に係る蚊取線香容器は、すべての材質を水洗可能な材質とし、特に最も汚れやすい本体をステンレス鋼板製としたので、蚊取線香の燻焼に伴うヤニや焦げ目が付着しにくく、また付着した汚れも水洗によって簡単に落として綺麗にすることができ、錆が発生することもない。
【００１３】
また、火が直接接触する本体以外の部分を合成樹脂製としたので、全体を軽量化することができる。
【００１４】
請求項２に記載の発明のように、本体底面の中央部に、蚊取線香の中心部を保持するための中心保持具を設置した場合には、蚊取線香が確実に保持されるので、容器を移動する際などにも、火の付いた蚊取線香が動き回ることもなく、安全性が向上する。
【図面の簡単な説明】
【００１５】
【図１】図１は、本発明に係る蚊取線香容器に蚊取線香を設置した状態を示した平面模式図である。なお蓋体は取り外してある。
【図２】図２は、図１のＸ−Ｘ’断面を示した断面模式図である。なお蓋体を取り付けた状態を示す。
【図３】図３は、蓋体の一例を示した平面模式図である。
【図４】図４は、図１に示した蚊取線香容器の側面模式図である。
【図５】図５は、中心保持具の一例を示した平面模式図である。
【図６】図６は、図５のＹ−Ｙ’断面を示した断面模式図である。
【図７】図７は、中心保持具の他の例を示した断面模式図である。
【図８】図８は、中心保持具の他の例を示した断面模式図である。
【発明を実施するための形態】
【００１６】
以下図面を参照しながら、本発明に係る蚊取線香容器について詳細に説明する。
図１は、本発明に係る蚊取線香容器（１）に蚊取線香（２）を設置した状態を示した平面模式図である。なお蓋体（３０）は取り外してある。図２は、図１のＸ−Ｘ’断面を示した断面模式図である。なお図２は、蓋体（３０）を取り付けた状態を示している。また、図３は、蓋体の一例を示した平面模式図である。図４は、図１に示した蚊取線香容器の側面模式図である。
【００１７】
本発明に係る蚊取線香容器（１）は、１巻の蚊取線香（２）を燻焼させるための容器であって、合成樹脂製の基体（１０）と、基体（１０）の周壁に嵌合するステンレス鋼板製の本体（２０）と、本体（２０）の周壁に嵌合する難燃性合成樹脂製の蓋体（３０）とからなる。
【００１８】
本体（２０）は、ステンレス鋼板をプレス成形加工によって成形して作成する。本体（２０）は、基体（１０）の底面（１１）より空間を隔てて設置された本体底面（２１）を有し、本体底面（２１）には、蚊取線香（２）を保持するための複数の支持突起（２２）が設けられていることを特徴とする。
【００１９】
図１に示したように、支持突起（２２）の先端は、図では簡単のため尖っているように描いているが、鋭角に尖っていると取り扱い時に手を切ったりする恐れがあるので、若干丸くしておくのが好ましい。しかしあまりに丸くすると、蚊取線香との接触面積が増えて、火が消えやすくなるので好ましくない。支持突起（２２）の先端の半径は、０．３〜０．５ｍｍ程度が適当である。
【００２０】
本体（２０）の材質としては、厚さ０．２ｍｍ〜１．２ｍｍの、ＳＵＳ３０４等のオーステナイト系ステンレス鋼板がプレス加工性に優れる点で好ましい。ＳＵＳ４３０等のフェライト系ステンレス鋼板でも良いが、異方性があるため注意を要する。
【００２１】
図５は、中心保持具（２４）の一例を示した平面模式図である。本体（２０）の中央部には、蚊取線香（２）を中心部で保持するための中心保持具（２４）を備えていても良い。図６は、図５のＹ−Ｙ’断面を示した断面模式図である。図６の例では、中心保持具（２４）は、本体（２０）を構成するステンレス鋼板をプレス加工して形成している。
【００２２】
図７は、中心保持具（２４）の他の例を示したものである。この例では、中心保持具（２４）は、本体（２０）とは別部品として作成し、本体底面（２１）に取り付けられている。
【００２３】
図８は、中心保持具（２４）の他の例である。この例では、本体底面（２１）に設けた切込から立ち上げた板状の爪を蚊取線香（２）の中心の中心保持孔（３）に突き刺すことによって蚊取線香（２）を保持する。
【００２４】
中心保持具（２４）を用いることにより、蚊取線香（２）を中心部のみで保持することができるので、支持突起（２２）に接触しない状態で保持することができる。このことにより、燻焼が安定すると共に、本体底面（２１）の汚れ方が少なくなり、掃除が楽になる。
【００２５】
基体（１０）は、本体（２０）を保持するための基礎となる部分であり、基体（１０）の周壁に本体（２０）のスカート部分が嵌合する。図１〜４に示した例では、基体（１０）の周壁の６箇所に設けた本体嵌合突起（１２）が、本体（２０）の側壁のスカート部分に設けた嵌合孔（２３）に嵌ることによって固定される。
【００２６】
基体（１０）の最下部には、外側に張り出す部分が設けてあるので、本体のスカート部分の先端部が覆われるため、先端部にバリがあっても問題となることはない。
【００２７】
基体（１０）の材質としては、各種の合成樹脂を用いることができる。メラミン樹脂、フェノール樹脂等の熱硬化性樹脂を用いるのが理想的であるが、基体底面（１１）と本体底面（２１）の距離を十分とることにより、ポリプロピレン樹脂（ＰＰ）、スチレン樹脂（ＰＳ）、ポリエチレンテレフタレート樹脂（ＰＥＴ）等の汎用熱可塑性樹脂を用いることもできる。
【００２８】
蓋体（３０）は、本体（２０）の周壁に嵌合する蓋であり、天面に、蚊取線香の煙を排出するための窓部（３１）を有する。
【００２９】
蓋体（３０）の構造としては、図３に示したような、車軸状のパターンに限らず、天面に蚊取線香の煙を排出するための窓部（３１）を配置した構造であれば、格子状、同心円状、ハニカム状など、どのようなパターンでもよいが、手が入らない程度の細かさであることが望ましい。
【００３０】
蓋体（３０）は、蚊取線香の煙が当たる部分であるため、材質としては、難燃性の合成樹脂で作成する。材質としては、メラミン樹脂、フェノール樹脂等の熱硬化性樹脂を用いるのが理想的であるが、蚊取線香（２）との距離に配慮することにより、難燃性ＡＢＳ樹脂等の熱可塑性樹脂を使用することもできる。
【符号の説明】
【００３１】
１・・・蚊取線香容器
２・・・蚊取線香
３・・・中心保持孔
１０・・・基体
１１・・・基体底面
１２・・・本体嵌合突起
２０・・・本体
２１・・・本体底面
２２・・・支持突起
２３・・・嵌合孔
２４・・・中心保持具
３０・・・蓋体
３１・・・窓部
【図１】
2014093959.tif 000003
【図２】
2014093959.tif 000004
【図３】
2014093959.tif 000005
【図４】
2014093959.tif 000006
【図５】
2014093959.tif 000007
【図６】
2014093959.tif 000008
【図７】
2014093959.tif 000009
【図８】
2014093959.tif 000010